(57)【要約】【課題】キセノン閃光放電管が発生する瞬間光を口腔内の歯茎部分の表裏に導くことにより、この歯茎部分を極短時間、かつ安価に治療することができる歯科用医療機器を提供する。【解決手段】少なくともキセノン閃光放電管と反射傘を含む発光部と、前記キセノン閃光放電管が発生する瞬間光が供給されることにより前記瞬間光を歯茎の表裏領域に導光、照射する治療部と、発光部の発光動作を制御する制御部と、発光部のキセノン閃光放電管が発する瞬間光を治療部へ導光する導光部と、を備え、前記治療部は、導光部によって導光された前記瞬間光が前記歯茎の表裏領域に到達するように前記瞬間光の光路を制御する光路制御手段を備えている。 これにより、キセノン閃光放電管が発する瞬間光が歯茎の表裏領域に照射されることになり、例えばキセノン閃光放電管の瞬間光自体あるいは瞬間光と他の薬剤との組合せによる口腔内での治療を実現できることになる。【選択図】図１
2015073756.tif 000002
【特許請求の範囲】
【請求項１】
キセノン閃光放電管が発生する瞬間光を口腔内の歯茎部分に導き、この歯茎部分を治療することができる歯科用治療機器であって、少なくともキセノン閃光放電管と反射傘を含む発光部と、前記口腔内に位置することができる形状を備えるとともに前記キセノン閃光放電管が発生する瞬間光が供給されることにより前記瞬間光を歯茎の表裏領域に導光して照射する治療部と、発光部の発光動作を制御する制御部と、発光部のキセノン閃光放電管が発する瞬間光を治療部へ導光する導光部と、を備え、前記治療部は、導光部によって導光された前記瞬間光が前記歯茎の表裏領域に到達するように前記瞬間光の光路を制御する光路制御手段を備えていることを特徴とする歯科用治療機器。
【請求項２】
治療部は、水平断面が略弓形状、縦断面が略Ｈ字形状を有し、縦方向の対向する両凹部に歯列および歯茎を位置させることにより前記口腔内に歯列と歯茎を挟み込んで位置するマウスピース型を呈している請求項１に記載の歯科用治療機器。
【請求項３】
導光部は発光部のキセノン閃光放電管が発する瞬間光が入射される入射口と治療部内に位置して入射口に入射された光を治療部内に射出する複数の射出口とを備え、前記瞬間光を分割して前記治療部に導光する光ファイバーを含み、前記治療部は、前記導光部の複数の射出口と対向する位置に当該射出口から射出される光を導入する導入端面を備え、前記治療部の光路制御手段は、前記導入端面から導入された瞬間光を歯茎領域に対して反射することにより導く反射領域を含んでなる請求項１に記載の歯科用治療機器。
【請求項４】
治療部と導光部は、夫々、他方との間で光学的、機械的な連結状態を形成すると共に前記治療部と前記導光部とを着脱自在に連結する連結部を備えている請求項１乃至３に記載の歯科用治療機器。
【発明の詳細な説明】
【技術分野】
【０００１】
本発明は、口腔内に光を照射することにより、例えば口腔内に処方された薬剤と共に歯周病等の治療を行う歯科用医療機器に関し、特にキセノン閃光放電管が発生する大光量の瞬間光を口腔内の歯茎部分に導き、この歯茎部分を極短時間に治療することができる歯科用治療機器に関する。
【背景技術】
【０００２】
従来から口腔内に光を照射する機器としては、歯科用医療機器はもちろん口腔審美目的の機器も含めて多種存在あるいは提案されている。
【０００３】
例えば、歯列全体を挿入するマウスピース形態を呈し、その凹部内壁にチップ型のＬＥＤユニットを歯列に沿って配置し、このＬＥＤユニットの発する光を口腔内に直接照射することにより、口腔内の歯あるいは歯茎全体に均一に光を照射し、効率よく確実に治療する歯科用光照射装置が提案されている。（特許文献１）。
【０００４】
なお、この特許文献１には、提案装置が、治療用のみならず充填樹脂硬化用光源あるいは光触媒との組合せによる歯の漂白の補助装置にも適用できる、旨も記載されている。
【０００５】
また、レーザまたはＬＥＤの照射部に温度センサを有し、また照射装置内の冷却部により光源の発熱を除熱し、光照射による歯の温度上昇を制御できるマウスピース型の光照射装置と、それに装着される歯型が取れる低硬度の水性ジェルを含んだ交換容易な光照射装置に装着される歯漂白用光照射装置も提案されている。（特許文献２）。
【先行技術文献】
【特許文献】
【０００６】
【特許文献１】特開２０００−７０２９２号公報
【特許文献２】特開２０１１−２１７９８３号公報
【発明の概要】
【発明が解決しようとする課題】
【０００７】
特許文献１に記載の光照射装置は、歯列に沿ってチップ型のＬＥＤユニットを配置し、このＬＥＤユニットが発する光を口腔内に直接照射させており、このため、治療を目的としての照射を考えると、多種多様な治療部、例えば大きさの異なる子供用、成人用の治療部への対応、かつ口腔内の歯列や歯茎の表裏への照射が必要であることを考えた場合、直接照射による治療の実現には多種多様な治療部に適した装置の準備が必要となり、もちろん数多くのＬＥＤユニットが必要となり、必然的にコストが高くなる課題を有していた。
【０００８】
また、ＬＥＤを光源として用いることから光量面でも大光量とは言えず、本質的に治療にある程度の時間を要することになる課題を有していた。
【０００９】
なお、特許文献２に記載のマウスピース型の照射装置を有する歯漂白用光照射装置は、レーザまたはＬＥＤの発する光を口腔内に導くものであるが、医療用機器ではなく照射対象を歯とするあくまで歯の漂白用の照射装置であり、このため口腔内の歯茎に対して治療としての表裏照明を行うことについてはなんら開示できておらず、もちろん治療としての表裏照明は行うことができない課題を有していた。
【００１０】
そこで、本発明は、かかる事情に鑑みてなされたもので、キセノン閃光放電管が発生する大光量の瞬間光を口腔内の歯茎部分の表裏に導くことにより、この歯茎部分を極短時間に治療することができる安価な歯科用医療機器を提供することを課題とする。
【課題を解決するための手段】
【００１１】
本発明による歯科用医療機器は、キセノン閃光放電管が発生する瞬間光を口腔内の歯茎部分に導き、この歯茎部分を治療することができる歯科用治療機器であって、少なくともキセノン閃光放電管と反射傘を含む発光部と、前記口腔内に位置することができる形状を備えるとともに前記キセノン閃光放電管が発生する瞬間光が供給されることにより前記瞬間光を歯茎の表裏領域に導光、照射する治療部と、発光部の発光動作を制御する制御部と、発光部のキセノン閃光放電管が発する瞬間光を治療部へ導光する導光部と、を備え、前記治療部は、導光部によって導光された前記瞬間光が前記歯茎の表裏領域に到達するように前記瞬間光の光路を制御する光路制御手段を備えていることを特徴としている。
【００１２】
かかる本発明の歯科用医療機器によれば、治療部を口腔内に位置させた状態で制御部にて発光部を動作させると発光部のキセノン閃光放電管は発光して大光量の瞬間光を発生し、一方このキセノン閃光放電管の発する瞬間光は導光部を介して治療部に導かれ、さらに導かれた瞬間光は治療部の光路制御手段によって歯茎の表裏領域に導光されて歯茎の表裏領域に照射されることになる。
【００１３】
これにより、口腔内での歯茎の表裏領域に対する治療は、発光部のキセノン閃光放電管が発する瞬間光は大光量であることから、例えば同瞬間光自体あるいは同瞬間光と他の薬剤との組合せによる治療にかかわらず短時間で実現できることになる。
【００１４】
なお、歯茎の表裏領域へのキセノン閃光放電管の発する瞬間光の照射方式は導光部等を介する間接照射方式であり、直接照射方式に比して光源数を少なくでき、結果、医療機器全体を比較的安価に実現できることになることはもちろんである。
【００１５】
ここで、本発明の一態様として、治療部は、水平断面が略弓形状、縦断面が略Ｈ字形状を有し、縦方向の対向する両凹部に歯列および歯茎を位置させることにより前記口腔内に歯列と歯茎を挟み込んで位置するマウスピース型を呈して構成できる。
【００１６】
かかる構成によれば、歯列および歯茎を凹部内に位置させることで治療部を口腔内に容易に位置させることができ、また、成人用、子供用等、口腔の大きさに応じて治療部を形成することにより、治療部内に導かれたキセノン閃光放電管の発した瞬間光を、治療部の光路制御手段の反射手段を介して歯茎の表裏領域に効率良く導光できることになる。
【００１７】
これにより、前述した一態様の場合と同様に、例えばキセノン閃光放電管の発する瞬間光自体あるいは同瞬間光と他の薬剤との組合せによる口腔内での治療を短時間で実現できると共に、治療部を光源であるキセノン閃光放電管を含むことなく形成できることから多種多様な治療部を含む治療器全体構成を比較的安価に実現できることになる。
【００１８】
また、本発明の他態様として、導光部は発光部のキセノン閃光放電管が発する瞬間光が入射される入射口と治療部内に位置して入射口に入射された光を治療部内に射出する複数の射出口とを備え、前記瞬間光を分割して前記治療部に導光する光ファイバーを含み、前記治療部は、前記導光部の複数の射出口と対向する位置に当該射出口から射出される光を導入する導入端面を備え、前記治療部の光路制御手段は、前記導入端面から導入された瞬間光を歯茎領域に対して反射することにより導く反射領域を含んで構成できる。
【００１９】
かかる構成によれば、治療部内に導かれたキセノン閃光放電管の発した瞬間光を、治療部の光路制御手段の反射領域を介して歯茎の表裏領域に導光できることになる。
【００２０】
これにより、前述した一態様の場合と同様に、例えばキセノン閃光放電管の発する瞬間光自体あるいは同瞬間光と他の薬剤との組合せによる口腔内での治療を短時間、かつ比較的安価に実現できることになる。
【００２１】
また、本発明の別の態様として、治療部と導光部は、夫々、他方との間で光学的、機械的な連結状態を形成する連結手段を備えると共にこの連結手段を介して前記治療部と前記導光部とが着脱自在となるように構成することができる。
【００２２】
かかる構成によれば、連結手段を共通に備える多種多様な治療部、例えば大きさの異なる子供用、成人用の治療部を光源であるキセノン閃光放電管を含むことなく形成でき、結果、より緻密、かつ効率的な口腔内での治療を短時間、かつ比較的安価に実施できることになる。
【発明の効果】
【００２３】
本発明によれば、キセノン閃光放電管が発する大光量の瞬間光を、導光部、治療部を介して口腔内の歯茎の表裏領域に導き、同表裏領域を照射できることから、キセノン閃光放電管の発する瞬間光自体あるいは同瞬間光と他の薬剤との組合せによる口腔内での治療を短時間、かつ比較的安価に実現することができる歯科用医療機器を得ることができる。
【図面の簡単な説明】
【００２４】
【図１】本発明に係る歯科用医療機器の構成概念図
【図２】本発明に係る歯科用医療機器の一実施形態の部分概略構成図
【図３】本発明に係る歯科用医療機器の一実施形態の部分概略構成図
【図４】本発明に係る歯科用医療機器の他の一実施形態の部分概略斜視図
【発明を実施するための形態】
【００２５】
本発明に係る歯科用医療機器について、図面を参酌しつつ、説明する。
【００２６】
図１は、本発明に係る歯科用医療機器の一部断面を含む構成概念図を示し、図示しているように、発光部１、治療部５、制御手段６、導光部７を備えている。
【００２７】
発光部１は、少なくともキセノン閃光放電管２と反射傘３、光学パネル４を含み、係る構成自体は、例えば写真撮影用人工光源であるストロボ装置の発光部に採用されている周知の構成と同様である。
【００２８】
治療部５は、口腔内に位置することができる形状を備え、キセノン閃光放電管２が発生する大光量の瞬間光が供給されることによりこの瞬間光を歯茎の表裏領域に導光、照射する。なお、本実施の形態においては水平断面が略弓形状、縦断面が略Ｈ字形状を有し、縦方向の対向する両凹部に歯列および歯茎を位置させることにより口腔内に位置するマウスピース型を呈し、キセノン閃光放電管２が発生する大光量の瞬間光が供給されることによりその瞬間光を歯茎の表裏領域に導光、照射する。
【００２９】
制御手段６は、発光部１の発光動作を制御するものであり、また導光部７は、発光部１のキセノン閃光放電管２が発する瞬間光を治療部５へ導光する。
【００３０】
治療部５と導光部７は、連結部８によって、夫々、光学的、機械的な連結状態を形成すると共に互いに着脱自在に連結されている。
【００３１】
なお、この連結部８における連結自体の構造は、例えばネジ構成や、蛇口とホースを接続する構成等、周知の連結構造を採用することができる。
【００３２】
図２、図３は、本発明に係る歯科用医療機器の一実施形態の部分概略構成図であり、図２は治療部５の一部断面および導光部７の一部を含む側面イメージの概略構成図を示し、図３は図２中のＸ−Ｘ‘線による断面を含む同平面イメージの概略構成図を示している。
【００３３】
図２、図３に示したように、治療部５に対して導光部７が、連結部８を構成する治療部５の例えば部分的に形成されたネジ構成である連結手段５ａおよびこの連結手段５ａと対を成す導光部７の部分的に形成されたネジ構成である連結手段７ａを介して機械的、光学的、かつ着脱自在に連結されている。
【００３４】
また、図２、図３からも明らかなように、治療部５は、水平断面が口腔内を考慮した略弓形状、縦断面が略Ｈ字形状を有し、縦方向の対向する両凹部５ｂ、５ｃ内に破線でイメージを示した歯列９および歯茎１０を位置させることにより口腔内に位置するマウスピース型を呈している。なお、治療部５については、適用される患者に応じてその形状、具体的には大きさが選択できるように、連結部８を共通にして複数種準備されることになる。
【００３５】
さらに、治療部５は、連結部８を介して連結された導光部７から導光される発光部１のキセノン閃光放電管２が発する大光量の瞬間光を歯茎１０の表裏に導くために複数の反射領域５ｄ、５ｅ、５ｆ、５ｇ、５ｈ、５ｉ、５ｊからなる光路制御手段１１を備えると共に、本体自体は、導入された光を伝播できる透光性の例えばアクリル、ポリカーボネイト、シクロオレフィンポリマー、または光学的に透明な弾性体等にて構成されている。
【００３６】
本実施形態における導光部７は、図示したように治療部５内での設置位置が異なる複数の射出口７ｂ、７ｃ、７ｄ、７ｅから発光部１のキセノン閃光放電管２の発する大光量の瞬間光を射出する構成を備えている。
【００３７】
この時、上記射出口７ｂ、７ｃ、７ｄ、７ｅの夫々に対向する治療部５の領域には、上記射出口から射出される光を治療部５の本体内に導入するための導入端面５ｋ、５ｌ、５ｍ、５ｎが夫々形成されている。
【００３８】
図３に示したように、射出口７ｄ、７ｅから射出される光は、当該図３上での上側に向けて射出され、治療部５の導入端面５ｍ、５ｎを介して治療部５本体内に導入されることになり、さらに当該図３上での上側に配置されている光路制御手段１１を形成する複数の反射領域５ｈ、５ｊ、５ｄにより反射され、最終的には反射領域の形成されていない領域を介して治療部５の凹部５ｃに向けて射出され、これによりこの凹部５ｃに位置する歯茎１０の表裏領域が照射されることに、すなわち間接的にキセノン閃光放電管２の発する大光量の瞬間光にて照射されることになる。
【００３９】
なお、図３には現れてはいないが、図２中に示した導光部７の他の射出口７ｂ、７ｃから射出される光も同様に図に表れていない治療部５の導入端面５ｋ、５ｌを介して治療部５本体内に導入され、上記の場合同様、光路制御手段１１を形成する複数の反射領域５ｇ、５ｉ、５ｄにより反射され、最終的には反射領域の形成されていない領域を介して治療部５の凹部５ｂに向けて射出され、これによりこの凹部５ｂに位置する歯茎１０の表裏領域が照射されることになる。
【００４０】
すなわち、本実施形態においては、導光部７の複数の射出口７ｂ等から射出されたキセノン閃光放電管２の大光量の瞬間光は、導入端面５ｋ等を介して治療部５本体内に導入され、さらに光路制御手段１１である先の複数の反射領域５ｄ等を介して制御され、結果、治療部５の凹部５ｂ、５ｃに導かれ、この凹部５ｂ、５ｃ内に位置している歯茎１０の上下表裏に供給、照射されることになる。
【００４１】
次に、上記のように構成される本発明に係る歯科用医療機器の一実施形態による治療について図面も参照しつつ簡単に説明する。
【００４２】
まず、患者の診察を行い、治療対象である疾病に対する治療方針が決定されることになる。例えば、キセノン閃光放電管の発する大光量の瞬間光自体によって治療する、あるいは同瞬間光と他の薬剤との組合せによって治療する、等の口腔内での治療方針が選択、決定され、同時に、決定した治療方針に沿った治療条件となる発光部１の発光動作条件が制御手段６によって設定される。
【００４３】
次に、患者の状況に応じた形状の治療部５を選択する。例えば成人か子供かによって口腔の大きさが異なることから、患者の口腔の大きさにマッチした治療部５を選択する。
【００４４】
次いで、具体的に口腔内に治療部５を位置させた状態で発光部１を、制御手段６に設定されている発光動作条件にて動作させ、キセノン閃光放電管２を発光させることにより、キセノン閃光放電管２の発する大光量の瞬間光が導光部７、治療部５を介して患者の歯茎１０の表裏に照射され、これにより先の治療方針に沿った歯茎１０に対する治療が短時間、かつ比較的安価に実施されることになる。
【００４５】
以上述べたように、本発明に係る医療機器の一実施形態として、水平断面が略弓形状、縦断面が略Ｈ字形状を有し、縦方向の対向する両凹部に歯列および歯茎を位置させることにより前記口腔内に位置するマウスピース型を呈する治療部である事例を示したが、治療部の形態は、例えば、マウスピース型では無く、キセノン閃光放電管の発する大光量の瞬間光の口腔内への導入を単に、かつ小領域で実現するように構成するようにしても良い。
【００４６】
図４は、本発明に係る歯科用医療機器の他の一実施形態を示す部分概略斜視図であり、先の実施形態とは異なる形態の治療部１２を示している。
【００４７】
すなわち、図４からも明らかなように、本実施形態における治療部１２は、図示はしないが同図４の右方にて導光部と適宜の連結構成にて連結されると共にこの連結部とは逆側となる先端部には対向して起立した一対の起立部１２ａ、１２ｂが形成されている。
【００４８】
尚、言うまでも無いが、治療部１２は図示していないキセノン閃光放電管が発する大光量の瞬間光を導光することができる素材あるいは構成にて形成されており、さらに上記起立部１２ａ、１２ｂの対向する面には、導光してきたキセノン閃光放電管の瞬間光を外部に射出するための光射出部１３ａ、１３ｂが形成されている。
【００４９】
したがって、患者の口腔内において、一対の起立部１２ａと１２ｂの間に治療予定の歯茎の治療部位が位置するように本実施形態の歯科用治療機器をセットし、図示はしていないが制御部の動作にてキセノン閃光放電管を発光させることにより、このキセノン閃光放電管が発する大光量の瞬間光は光射出部１３ａ、１３ｂから外部、すなわち口腔内に射出され、これにより先の治療予定部位が先の瞬間光にて間接的に照射されることになる。
【００５０】
この結果、図１等に示した先の実施形態に比して照射される治療部位領域が制限され部分的になるものの、キセノン閃光放電管の発する大光量の瞬間光自体あるいは同瞬間光と他の薬剤との組合せによる口腔内での治療については同様に短時間、かつ比較的安価に実現できることになる。なお、治療部位領域が部分的になることにより予定治療部位が大きい場合複数回の治療用照射が必要にはなるものの、口腔内に占める治療部の容積割合は小さくなることから、患者負担については軽減できることになる。
【００５１】
また、本発明に係る歯科用治療機器の他の実施形態として、図示はしないが、一対の起立部１２ａ、１２ｂのどちらか一方をなくし、一箇所の光射出部を有するように、例えば１本の細い光ファイバーにて治療部を構成し、さらに小領域である特定治療部位の治療を実現できるように構成しても良いことはもちろんである。
【産業上の利用可能性】
【００５２】
本発明によれば、キセノン閃光放電管が発する瞬間光を、導光部、治療部を介して口腔内の歯茎の表裏領域に導き、同表裏領域を照射できる歯科用医療機器を得ることができ、よってキセノン閃光放電管の発する大光量の瞬間光自体あるいは同瞬間光と他の薬剤との組合せによる口腔内での治療を短時間、かつ比較的安価に行うことができる歯科用医療機器を実現できることになる。
【符号の説明】
【００５３】
１  発光部
２  キセノン閃光放電管
３  反射傘
４  光学パネル
５  治療部
５ａ  連結手段
５ｂ  凹部
５ｃ  凹部
５ｄ  反射領域
５ｅ  反射領域
５ｆ  反射領域
５ｇ  反射領域
５ｈ  反射領域
５ｉ  反射領域
５ｊ  反射領域
５ｋ  導入端面
５ｌ  導入端面
５ｍ  導入端面
５ｎ  導入端面
６  制御手段
７  導光部
７ａ  連結手段
７ｂ  射出口
７ｃ  射出口
７ｄ  射出口
７ｅ  射出口
８  連結部
９  歯列
１０  歯茎
１１  光路制御手段
１２  治療部
１２ａ  起立部
１２ｂ  起立部
１３ａ  光射出部
１３ｂ  光射出部
【図１】
2015073756.tif 000003
【図２】
2015073756.tif 000004
【図３】
2015073756.tif 000005
【図４】
2015073756.tif 000006